(57)【要約】【課題】入場券を一元管理し、様々なイベントに利用できるようにする。【解決手段】観客は発券機１１に現金を投入して入場券２を購入し、プリペイド金額を設定する。入場ゲート１２の通過時、入場券のタグコードとユーザ情報が読み出され、ホストコンピュータ１５に送信され、記憶される。イベント等により抽選が行われると、ホストコンピュータ１５はユーザ情報に含まれる入場回数や売店購入金額等に応じて当選確率を変え、当選者を決定する。売店の端末１６によりプリペイドや現金で品物３を購入し、クーポンを付加することができる。また、端末１７でクーポン金額に応じて景品に交換することもできる。退場ゲート１３の通過時、タグコードとユーザ情報が読み出され、ホストコンピュータ１５に送信され、記憶される。回収機１４に入場券を入れると払い戻しが行われる。再来場時には前回のユーザ情報が継承される。【選択図】      図１
2004295390.tif 000002
【特許請求の範囲】
【請求項１】
ＲＦ−ＩＤタグを備える入場券を管理する入場券管理システムであって、
所定の入場ゲートにおいて、前記入場券に記録された識別情報を読み出す第１の読み出し手段と、
前記読み出し手段によって読み出された前記識別情報に対応するユーザ情報に基づいて、所定の抽選に対する当選確率を決定する当選確率決定手段と、
前記当選確率に基づいて、前記抽選に対する当選者を決定する当選者決定手段と、
所定の退場ゲートにおいて、前記入場券に記録された前記識別情報を読み出す第２の読み出し手段と
を備えることを特徴とする入場券管理システム。
【請求項２】
前記入場券の前記ＲＦ−ＩＤタグは、前記入場券を所持したユーザが前記入場ゲートを通過した回数を記憶する入場回数記憶手段と、
前記第１の読み出し手段によって前記入場券の識別情報が読み出されたとき、前記入場回数記憶手段によって記憶されている前記入場回数を更新する入場回数更新手段とをさらに備える
ことを特徴とする請求項１に記載の入場券管理システム。
【請求項３】
前記入場券の前記ＲＦ−ＩＤタグは、前記入場券を所持したユーザが前記抽選に当選した回数を記憶する当選回数記憶手段と、
前記抽選に当選したとき、前記当選回数記憶手段によって記憶されている前記当選回数を更新する当選回数更新手段とをさらに備える
ことを特徴とする請求項１または２に記載の入場券管理システム。
【請求項４】
前記入場券の前記ＲＦ−ＩＤタグは、所定のクーポン情報を記憶するクーポン情報記憶手段と、
前記クーポン情報を更新するクーポン情報更新手段とをさらに備える
ことを特徴とする請求項１乃至３のいずれかに記載の入場券管理システム。
【請求項５】
前記入場券に記録されている前記識別情報と、前記入場券を所持したユーザが前記入場ゲートを通過した回数とを対応付けて記憶する入場回数記憶手段をさらに備える
ことを特徴とする請求項１に記載の入場券管理システム。
【請求項６】
前記入場券に記録されている前記識別情報と、前記入場券を所持したユーザが前記抽選に当選した回数とを対応付けて記憶する当選回数記憶手段をさらに備える
ことを特徴とする請求項１または５に記載の入場券管理システム。
【請求項７】
前記入場券に記録されている前記識別情報と、所定のクーポン情報とを対応付けて記憶するクーポン情報記憶手段をさらに備える
ことを特徴とする請求項１，５，または６に記載の入場券管理システム。
【請求項８】
前記入場券を回収し、前記入場券に記録されている前記識別情報および前記ユーザ情報を読み出し、新たな入場券に前記識別情報および前記ユーザ情報を記録し、前記入場券の表面に前記ユーザ情報をプリントし、前記新たな入場券を発券する発券手段をさらに備える
ことを特徴とする請求項１乃至７のいずれかに記載の入場券管理システム。
【請求項９】
前記入場券を回収し、前記入場券に記録されている前記識別情報および前記ユーザ情報を読み出し、前記ユーザ情報に基づいて払い戻しを行う払い戻し手段をさらに備える
ことを特徴とする請求項１乃至８のいずれかに記載の入場券管理システム。
【請求項１０】
ＲＦ−ＩＤタグを備える入場券を管理する入場券管理方法であって、
所定の入場ゲートにおいて、前記入場券に記録された識別情報を読み出す第１の読み出しステップと、
前記読み出しステップにおいて読み出された前記識別情報に対応するユーザ情報に基づいて、所定の抽選に対する当選確率を決定する当選確率決定ステップと、
前記当選確率に基づいて、前記抽選に対する当選者を決定する当選者決定ステップと、
所定の退場ゲートにおいて、前記入場券に記録された前記識別情報を読み出す第２の読み出しステップと
を備えることを特徴とする入場券管理方法。
【請求項１１】
ＲＦ−ＩＤタグを備える入場券を管理する入場券管理プログラムであって、
所定の入場ゲートにおいて、前記入場券に記録された識別情報を読み出す第１の読み出しステップと、
前記読み出しステップにおいて読み出された前記識別情報に対応するユーザ情報に基づいて、所定の抽選に対する当選確率を決定する当選確率決定ステップと、
前記当選確率に基づいて、前記抽選に対する当選者を決定する当選者決定ステップと、
所定の退場ゲートにおいて、前記入場券に記録された前記識別情報を読み出す第２の読み出しステップと
をコンピュータに実行させることを特徴とする入場券管理プログラム。
【発明の詳細な説明】
【０００１】
【発明の属する技術分野】
本発明は、入場券管理システムに関し、特に、ＲＦ−ＩＤ付きの入場券を管理する入場券管理システムに関する。
【０００２】
【従来の技術】
従来、サッカー場や野球場などの入場券には、入り口で半券を千切るスタイルのものがあり、指定席券と自由席券とがある。また、競馬場等のように、入場券をそのまま係員に渡し、手元に残らないものもある
また、場内のアトラクションへの入場方法を選択可能とし、アトラクションの動的な実時間収容能力を常時調節可能とし、同じアトラクションへの重複予約を防止するものがある（例えば、特許文献１参照）。
【０００３】
【特許文献１】
特開２００１−１０１４６１号公報（図１）
【０００４】
【発明が解決しようとする課題】
しかしながら、従来は入場券を一元管理していないため、入場券を利用した様々なイベント等を主催者が企画したり、場内での購買意欲を高めたり、リピート客を増やすことができないという問題があった。
また、特許文献１に記載の発明では、場内で開催される各種イベントに入場券を利用する場合に適用することができないという問題があった。
【０００５】
本発明はこのような状況に鑑みてなされたものであり、入場券を一元管理し、入場券を利用した様々なイベントを企画することができ、リピート客を増やすことができるようにするものである。
【０００６】
【課題を解決するための手段】
請求項１に記載の入場券管理システムは、ＲＦ−ＩＤタグを備える入場券を管理する入場券管理システムであって、所定の入場ゲートにおいて、入場券に記録された識別情報を読み出す第１の読み出し手段と、読み出し手段によって読み出された識別情報に対応するユーザ情報に基づいて、所定の抽選に対する当選確率を決定する当選確率決定手段と、当選確率に基づいて、抽選に対する当選者を決定する当選者決定手段と、所定の退場ゲートにおいて、入場券に記録された識別情報を読み出す第２の読み出し手段とを備えることを特徴とする。
【０００７】
また、入場券のＲＦ−ＩＤタグは、入場券を所持したユーザが入場ゲートを通過した回数を記憶する入場回数記憶手段と、第１の読み出し手段によって入場券の識別情報が読み出されたとき、入場回数記憶手段によって記憶されている入場回数を更新する入場回数更新手段とをさらに備えるようにすることができる。
【０００８】
また、入場券のＲＦ−ＩＤタグは、入場券を所持したユーザが抽選に当選した回数を記憶する当選回数記憶手段と、抽選に当選したとき、当選回数記憶手段によって記憶されている当選回数を更新する当選回数更新手段とをさらに備えるようにすることができる。
【０００９】
また、入場券のＲＦ−ＩＤタグは、所定のクーポン情報を記憶するクーポン情報記憶手段と、クーポン情報を更新するクーポン情報更新手段とをさらに備えるようにすることができる。
【００１０】
また、入場券に記録されている識別情報と、入場券を所持したユーザが入場ゲートを通過した回数とを対応付けて記憶する入場回数記憶手段をさらに備えるようにすることができる。
【００１１】
また、入場券に記録されている識別情報と、入場券を所持したユーザが抽選に当選した回数とを対応付けて記憶する当選回数記憶手段をさらに備えるようにすることができる。
【００１２】
また、入場券に記録されている識別情報と、所定のクーポン情報とを対応付けて記憶するクーポン情報記憶手段をさらに備えるようにすることができる。
また、入場券を回収し、入場券に記録されている識別情報およびユーザ情報を読み出し、新たな入場券に識別情報およびユーザ情報を記録し、入場券の表面にユーザ情報をプリントし、新たな入場券を発券する発券手段をさらに備えるようにすることができる。
【００１３】
また、入場券を回収し、入場券に記録されている識別情報およびユーザ情報を読み出し、ユーザ情報に基づいて払い戻しを行う払い戻し手段をさらに備えるようにすることができる。
【００１４】
請求項１０に記載の入場券管理方法は、ＲＦ−ＩＤタグを備える入場券を管理する入場券管理方法であって、所定の入場ゲートにおいて、入場券に記録された識別情報を読み出す第１の読み出しステップと、読み出しステップにおいて読み出された識別情報に対応するユーザ情報に基づいて、所定の抽選に対する当選確率を決定する当選確率決定ステップと、当選確率に基づいて、抽選に対する当選者を決定する当選者決定ステップと、所定の退場ゲートにおいて、入場券に記録された識別情報を読み出す第２の読み出しステップとを備えることを特徴とする。
【００１５】
請求項１１に記載の入場券管理プログラムは、ＲＦ−ＩＤタグを備える入場券を管理する入場券管理プログラムであって、所定の入場ゲートにおいて、入場券に記録された識別情報を読み出す第１の読み出しステップと、読み出しステップにおいて読み出された識別情報に対応するユーザ情報に基づいて、所定の抽選に対する当選確率を決定する当選確率決定ステップと、当選確率に基づいて、抽選に対する当選者を決定する当選者決定ステップと、所定の退場ゲートにおいて、入場券に記録された識別情報を読み出す第２の読み出しステップとをコンピュータに実行させることを特徴とする。
【００１６】
【発明の実施の形態】
図１は、本発明の入場券管理システムの一実施の形態の構成例を示すブロック図である。同図に示すように、本実施の形態は、現金１の投入により、図示せぬＩＣタグ（ＲＦ−ＩＤ（Ｒａｄｉｏ  Ｆｒｅｑｕｅｎｃｙ  ＩＤｅｎｔｉｆｉｃａｔｉｏｎ）タグ）を有する入場券２を発券する発券機１１と、入場する観客が所持する入場券２のＩＣタグと微弱電波によって通信を行い、ＩＣタグを構成するメモリに記憶されているタグコード（識別情報）と、入場回数、イベント当選回数、累積プリペイド金額、売店購入金額、累積クーポン金額等のユーザ情報を読み出し、所定のネットワークを介してホストコンピュータ１５に送信する入場ゲート１２と、退場する観客が所持する入場券２のＩＣタグと微弱電波によって通信を行い、ＩＣタグのメモリに記憶されているタグコードとユーザ情報を読み出し、所定のネットワークを介してホストコンピュータ１５に送信する退場ゲート１３と、再来予定のない観客の入場券２を回収し、入場券２に設定された累積クーポン金額や累積プリペイド金額等の精算を行う回収機１４と、入場ゲート１２および退場ゲート１３から所定のネットワークを介して送信されてきたタグコードとユーザ情報を関連付けて所定の記憶装置に記憶させるホストコンピュータ１５と、売店等に設置され、商品等の購入金額に応じて、入場券２に記憶されている累積クーポン金額の更新や、プリペイド金額の更新を行う端末１６，１７等により構成されている。入場ゲート１２、退場ゲート１３、端末１６，１７、およびホストコンピュータ１５は所定のネットワークにより接続され、各種データの送受信を行うことができるようになっている。
【００１７】
また、ホストコンピュータは各種処理を実行する中央演算処理装置と、各種アプリケーションプログラムを記憶するメモリと、通信を制御する通信制御部と、各種データを記憶する記憶装置等により構成されている。また、ＩＣタグは、各種処理を実行する中央演算処理装置と、制御プログラム、タグコード、およびユーザ情報等を記憶するメモリと、通信を制御する通信制御部と、アンテナ等により構成されている。
【００１８】
また、入場ゲート１２は、所定の制御プログラムに従って各部を制御する中央演算処理装置と、制御プログラムを記憶するメモリと、ホストコンピュータ１５との間の通信を制御する通信制御部と、ＩＣタグとの間でデータの送受信を行うＩＣタグリーダ／ライタと、各種データを記憶する記憶装置等により構成されている。入場ゲート１２は、所定の制御プログラムに従って各部を制御する中央演算処理装置と、制御プログラムを記憶するメモリと、ホストコンピュータ１５との間の通信を制御する通信制御部と、ＩＣタグとの間でデータの送受信を行うＩＣタグリーダ／ライタと、各種データを記憶する記憶装置等により構成されている。
【００１９】
また、回収機１４は、所定の制御プログラムに従って各部を制御する中央演算処理装置と、制御プログラムを記憶するメモリと、ホストコンピュータ１５との間の通信を制御する通信制御部と、ＩＣタグとの間でデータの送受信を行うＩＣタグリーダ／ライタと、各種データを記憶する記憶装置等により構成されている。
【００２０】
次に、本実施の形態の処理手順について説明する。まず、ステップＳ１において、観客は、入場料に対応する金額の現金１を発券機１１の図示せぬ現金投入口から投入する。次にステップＳ２において、発券機１１により必要に応じて料金の精算が行われ、観客に対して入場券２が発券される。次に、ステップＳ３において、観客が必要に応じて、現金１またはキャッシュカード（ＣＤ）で所定の料金を支払うことにより、入場券２のＩＣタグのメモリに所定のプリペイド金額が設定される。プリペイド金額の設定は、発券機１１を用いて行うことができる。
【００２１】
次に、ステップＳ４において、観客は入場券２を持って入場ゲート１２を通過する。このとき、入場ゲート１２の図示せぬＩＣタグリーダ／ライタは、入場券２のＩＣタグと通信を行い、ＩＣタグに記憶されているタグコードを読み取る。そして、ステップＳ５において、読み取ったタグコードをホストコンピュータ１５にネットワークを介して送信する。ホストコンピュータ１５は、入場ゲート１２から送信されてきたタグコードを、観客毎に図示せぬ記憶装置に記憶させる。タグコードは入場券２を識別するためのユニークなコードである。
なお、観客が過去に入場している場合には、ＩＣタグにはタグコードのほかに入場回数、イベント当選回数、プリペイド残金、売店購入金額、累積クーポン金額等のユーザ情報が記録されている。従って、過去に入場している観客の場合にはＩＣタグリーダ／ライタは、入場券２のＩＣタグと通信を行い、タグコードとユーザ情報を読み取って、読み取ったタグコードとユーザ情報をホストコンピュータ１５に送信する。そして、ホストコンピュータは入場ゲート１２から送信されてきたタグコードとユーザ情報を対応付けて記憶装置に記憶させる。
【００２２】
次に、ステップＳ６において、会場内で抽選等のイベントが行われると、ホストコンピュータ１５は、各観客毎に記憶している入場回数、イベント当選回数、売店購入金額等に基づいて各観客毎に当選確率を設定し、この当選確率に基づいて当選者を決定する。そして、当選した観客のユーザ情報に含まれる当選回数を１だけ増加させる。
【００２３】
また、ステップＳ７において、観客は、入場券２を用いて売店において品物３を購入することができる。その場合、売店に設置された端末１６により、入場券２のＩＣタグに記憶されているタグコードと、ＩＣタグに記憶されている累計プリペイド金額が読み出され、累計プリペイド金額から品物３の価格分の金額が差し引かれる。その後、品物３の価格分の金額が差し引かれた新たなプリペイド金額が入場券２のＩＣタグに送信され、入場券２のＩＣタグのメモリに記憶されているプリペイド金額が更新される。また、売店は、品物３の購入に対して所定の金額の割り引きを行い、割り引き金額を累計プリペイド金額に加算することもできる。また、累計プリペイド金額が不足する場合、観客はステップＳ８において、不足分の現金１を支払うことができる。
【００２４】
また、入場券２に記憶されている売店購入金額が読み出され、いま購入した品物３の金額を加算した新たな売店購入金額がＩＣタグに送信され、記憶される。その後、端末１６は、タグコードと新たなプリペイド金額と新たな売店購入金額をホストコンピュータ１５に送信する。ホストコンピュータ１５は、端末１６から送信されてきたタグコードとプリペイド金額と売店購入金額とに基づいて、タグコードに対応するユーザ情報を更新する。
【００２５】
また、ステップＳ９において、観客は、イベントへの参加や商品購入等により入場券２のＩＣタグに蓄積された累積クーポン金額に応じて所望の景品４等を受け取ることができる。その場合、端末１７は、入場券２のＩＣタグのメモリに記憶されているタグコードと累積クーポン金額を読み出し、その累積クーポン金額から観客が希望する景品４に対応する金額を差し引いた残りの金額を新たな累積クーポン金額とし、この新たな累積クーポン金額を入場券２のＩＣタグに送信し、記憶させる。
【００２６】
また、観客は、所定のイベントに参加して所定の金額のクーポンを取得した場合、取得したクーポンの金額を入場券２に追加することができる。その場合、端末１７は、入場券２のＩＣタグのメモリに記憶されているタグコードと累積クーポン金額を読み出し、その累積クーポン金額に観客が取得したクーポンの金額を加算して得られた金額を新たな累積クーポン金額とし、この新たな累積クーポン金額を入場券２のＩＣタグに送信し、記憶させる。
【００２７】
その後、端末１７は、タグコードと新たな累積クーポン金額をホストコンピュータ１５にネットワークを介して送信する。ホストコンピュータ１５は、端末１６からネットワークを介して送信されてきたタグコードと累積クーポン金額とに基づいて、このタグコードに対応するユーザ情報の累積クーポン金額を更新する。
【００２８】
次に、ステップＳ１０において、観客が退場するとき、退場ゲート１３のＩＣタグリーダ／ライタにより、観客が所持する入場券２のＩＣタグに記憶されているタグコードおよびユーザ情報が読み出され、ホストコンピュータ１５にネットワークを介して送信される。再び来場する観客は、退場後、入場券２を持ち帰る。
【００２９】
一方、再び来場することがない観客は、ステップＳ１１において回収機１４の図示せぬ挿入口に入場券２を挿入する。回収機１４は、挿入口から挿入された入場券２に記憶されている累積クーポン金額、および累積プリペイド金額を読み取り、ステップＳ１２において、累積クーポン金額および累積プリペイド金額と、予め入場料に付加されているタグ代金の合計金額分の現金１を観客に払い戻し、入場券２のＩＣタグのメモリに記憶されている全ての情報を消去し、入場券２を回収する。
【００３０】
再び来場する場合、観客は、ステップＳ２１において、現在所持している入場券２を持って発券機１１の図示せぬ挿入口に入場券２を挿入し、入場料に対応する金額の現金１を発券機１１の図示せぬ現金投入口に投入する。発券機１１は、挿入口から挿入された入場券２に記憶されているタグコードと、入場回数、イベント当選回数、累積プリペイド金額、売店購入金額、累積クーポン金額等のユーザ情報を読み取り、読み取ったタグコードおよびユーザ情報を、新しい入場券２のＩＣタグに記憶させ、ステップＳ２２において発行するとともに、観客が持参した古い入場券２を回収する。
【００３１】
また、新しい入場券２を発行するときに、必要に応じて適宜、古い入場券２から新しい入場券２に継承されたユーザ情報の内容を入場券２の表面にプリントすることもできる。
【００３２】
以上説明したように、本実施の形態により、入場券を一元管理し、入場回数や売店購入金額に基づいて様々なイベントを企画することができる。また、入場券にプリペイド金額やクーポン金額の設定が有る場合、退場時に精算することができるので、入場券の回収効率を上げることができる。また、入場券に記憶されたユーザ情報を次回の入場時に継承することができるので、リピート客を増やすことができる。
【００３３】
なお、上記実施の形態においては、入場券のＩＣタグにタグコードとユーザ情報を記憶させるようにしたが、入場券のＩＣタグにはタグコードのみを記憶させるようにし、ホストコンピュータ１５において各タグコードに対応するユーザ情報を管理するようにすることもできる。
【００３４】
上記実施の形態の構成及び動作は例であって、本発明の趣旨を逸脱しない範囲で適宜変更することができることは言うまでもない。
【００３５】
【発明の効果】
以上の如く、本発明に係る入場券管理システムによれば、所定の入場ゲートにおいて、入場券に記録された識別情報を読み出し、この識別情報に対応するユーザ情報に基づいて、所定の抽選に対する当選確率を決定し、当選確率に基づいて当選者を決定する。また、所定の退場ゲートにおいて、入場券に記録された識別情報を読み出すようにしたので、入場券を一元管理し、入場券を利用した様々なイベントを企画することができる。
また、入場券に記録されている識別情報と、所定のクーポン情報とを対応付けて記憶するようにすれば、場内での購買意欲を高めることができる。
また、入場券を回収し、入場券に記録されている識別情報およびユーザ情報を読み出し、新たな入場券に識別情報およびユーザ情報を記録し、入場券の表面にユーザ情報をプリントし、新たな入場券を発券するようにすれば、前回退場時のユーザ情報を継承することができ、リピート客を増やすことができる。
また、入場券を回収し、入場券に記録されている識別情報およびユーザ情報を読み出し、ユーザ情報に基づいて払い戻しを行う払い戻し手段をさらに備えるようにすれば、入場券の回収効率を上げることができる。
【図面の簡単な説明】
【図１】本発明の入場券管理システムの一実施の形態の構成および動作を示すジョブフローである。
【符号の説明】
１  現金
２  入場券
３  品物
４  景品
１１  発券機
１２  入場ゲート
１３  退場ゲート
１４  回収機
１５  ホストコンピュータ
１６，１７  端末
【図１】
2004295390.tif 000003